(57)【要約】      （修正有）【課題】コンサートホール、オーディオルーム又は会議室等の壁面や天井面に設置し、特定の周波数の音を吸音する吸音パネルにおいて、製造後においても、吸音する音の周波数を必要に応じてチューニングすることができる吸音パネルを提供する。【解決手段】吸音パネルＡ１は、芯材１と、芯材１に取り付けられる正面板２及び背面板３を有し、芯材１は、枠体１０と、枠体１０の内側に複数並設されており、正面板２及び背面板３と組み合わせることにより区画される空気室を形成する空気室形成部材１３と、空気室形成部材１３の間に配置され空気室内で空気の流通を遮断する調整体１５と、空気室形成部材１３に沿って、調整体１５が着脱自在な複数の係合溝１４，１４ａとを有し、背面板３が芯材１に対し着脱自在であり、正面板２には空気室に通じる入音口２１，２２が形成されており、調整体１５と入音口２１，２２の間隔を調整して空気室の長さ又は容積を調整する。【選択図】図１
2014122515.tif 000002
【特許請求の範囲】
【請求項１】
複数の空気室と、当該空気室に通じる入音口を有しており、特定の周波数の音を吸音する吸音パネルにおいて、
前記空気室に空気の流通を遮断する調整体を配置し、当該調整体の位置を変えて前記入音口と前記調整体の間隔を調整し、前記空気室の長さ又は容積を調整して、空気室の固有周波数が、吸音する音の周波数に共鳴する周波数となるようにする、
吸音パネルにおける吸音する音の周波数の調整方法。
【請求項２】
吸音する音の周波数を調整して特定の周波数の音を吸音する吸音パネルであって、
芯材と、
当該芯材の正面側に取り付けられている正面板及び前記芯材の背面側に取り付けられている背面板を有し、
前記芯材は、
枠体と、
当該枠体の内側に複数並設されており、前記正面板及び前記背面板と組み合わせることにより区画される空気室を形成する長尺の空気室形成部材と、
当該空気室形成部材の間に配置され、前記空気室内で空気の流通を遮断する調整体と、
前記空気室形成部材に沿って形成され、前記調整体の位置を変えるべく着脱自在な複数の取付部と、
を有し、
前記正面板及び前記背面板のうち、何れか一方又は双方が前記芯材に対し着脱自在であり、
前記正面板には、前記空気室に通じる入音口が形成されており、
前記調整体と前記入音口との間隔を調整して前記空気室の長さ又は容積を調整するようにした、
吸音パネル。
【請求項３】
入音口が、各空気室に対して正面板の上下端部側の二箇所に形成され、調整体は上側の入音口と下側の入音口の間の一箇所に取り付けられている、
請求項２記載の吸音パネル。
【請求項４】
入音口が、各空気室に対して正面板の上下端部側の二箇所に形成され、調整体は上側の入音口と下側の入音口の間の二箇所に取り付けられている、
請求項２又は３記載の吸音パネル。
【請求項５】
取付部が、空気室形成部材において空気室に面する両面側に形成されている溝であり、当該両溝は遮断部で通気できないように遮断されている、
請求項２、３又は４記載の吸音パネル。
【請求項６】
複数の空気室のうち、調整体を有さず吸音する音の周波数が固定されている空気室を有している、
請求項２、３、４又は５記載の吸音パネル。
【請求項７】
空気室内部に、高音域の音を吸音するための発泡材料又は繊維材料で形成された吸音材を収容した、
請求項２、３、４、５又は６記載の吸音パネル。
【発明の詳細な説明】
【技術分野】
【０００１】
本発明は、吸音パネルにおける吸音する音の周波数の調整方法及び吸音パネルに関するものである。更に詳しくは、コンサートホール、オーディオルーム、会議室等の壁面や天井面に設置して、特定の周波数の音を吸音する吸音パネルにおいて、製造後においても、吸音する音の周波数を必要に応じてチューニングすることができるものに関する。
【背景技術】
【０００２】
クラシックコンサートや歌手のコンサート、またはスピーチコンテスト等、様々な催し物が行われるコンサートホール、あるいは、このように規模の大きなものでなくても、楽器の練習や音楽の視聴を行うオーディオルームや会議室等には、より良い音響効果を得るために、一般に天井面や壁面に吸音パネルや反射パネル等が使用されている。
このうち、特定の周波数の音を吸音することができる吸音パネルとしては、例えば特許文献１に開示された吸音パネルがある。
【０００３】
特許文献１の吸音パネル<10>は、波板<14>と平板<12>を重ね合わせて管共鳴を生じる複数の空洞<20,26>を形成したものであり、吸音パネル<10>の前面側に空洞<20,26>に連通する開口部<22,24>を形成し、複数台の吸音パネル<10>を、各空洞<20,26>の端部が開口している側端面<10a.10b>同士を突き合わせた状態に配列して相互に連結したものであり、共鳴を利用した吸音パネルを簡易な構成で実現するというものである。
【先行技術文献】
【特許文献】
【０００４】
【特許文献１】特開２００９−３０４３１
【発明の概要】
【発明が解決しようとする課題】
【０００５】
しかしながら、前記した従来の吸音パネルには、次のような課題があった。
すなわち、コンサートホールにおいて催される前記したように様々なジャンルの音楽やスピーチ、あるいはオーディオルームや会議室等でも、発生する音の音響的な特性はそれぞれの場合で異なっている。
【０００６】
ところが、前記した従来の吸音パネルは、各空洞に沿う開口部の位置を適宜調整して、吸音する音の周波数を設定する構造となっており、この設定は、吸音パネルの製造時において行われる。そして、吸音パネルで吸音する音の周波数は、一旦設定された後は変えることができなかった。
【０００７】
このため、従来の吸音パネルは、製造後においては、例えばコンサートホールの場合では催し物に合わせて、また、オーディオルームや会議室においても、これらに適した音響効果を発揮できるように、吸音する音の周波数をチューニングすることができなかった。
【０００８】
（本発明の目的）
本発明は、コンサートホール、オーディオルーム又は会議室等の壁面や天井面に設置して、特定の周波数の音を吸音する吸音パネルにおいて、製造後においても、吸音する音の周波数を必要に応じてチューニングすることができる吸音パネルを提供することを目的とする。
【課題を解決するための手段】
【０００９】
上記課題を解決するために本発明が講じた手段は次のとおりである。
（１）本発明は、
複数の空気室と、当該空気室に通じる入音口を有しており、特定の周波数の音を吸音する吸音パネルにおいて、
前記空気室に空気の流通を遮断する調整体を配置し、当該調整体の位置を変えて前記入音口と前記調整体の間隔を調整し、前記空気室の長さ又は容積を調整して、空気室の固有周波数が、吸音する音の周波数に共鳴する周波数となるようにする、
吸音パネルにおける吸音する音の周波数の調整方法である。
【００１０】
（２）本発明は、
吸音する音の周波数を調整して特定の周波数の音を吸音する吸音パネルであって、
芯材と、
当該芯材の正面側に取り付けられている正面板及び前記芯材の背面側に取り付けられている背面板を有し、
前記芯材は、
枠体と、
当該枠体の内側に複数並設されており、前記正面板及び前記背面板と組み合わせることにより区画される空気室を形成する長尺の空気室形成部材と、
当該空気室形成部材の間に配置され、前記空気室内で空気の流通を遮断する調整体と、
前記空気室形成部材に沿って形成され、前記調整体の位置を変えるべく着脱自在な複数の取付部と、
を有し、
前記正面板及び前記背面板のうち、何れか一方又は双方が前記芯材に対し着脱自在であり、
前記正面板には、前記空気室に通じる入音口が形成されており、
前記調整体と前記入音口との間隔を調整して前記空気室の長さ又は容積を調整するようにした、
吸音パネルである。
【００１１】
（３）本発明は、
入音口が、各空気室に対して正面板の上下端部側の二箇所に形成され、調整体は上側の入音口と下側の入音口の間の一箇所に取り付けられている、のが好ましく、推奨される。
【００１２】
（４）本発明は、
入音口が、各空気室に対して正面板の上下端部側の二箇所に形成され、調整体は上側の入音口と下側の入音口の間の二箇所に取り付けられている、のが好ましく、推奨される。
【００１３】
（５）本発明は、
取付部が、空気室形成部材において空気室に面する両面側に形成されている溝であり、当該両溝は遮断部で通気できないように遮断されている、のが好ましく、推奨される。
【００１４】
（６）本発明は、
複数の空気室のうち、調整体を有さず吸音する音の周波数が固定されている空気室を有している、のが好ましく、推奨される。
【００１５】
（７）本発明は、
空気室内部に、高音域の音を吸音するための発泡材料又は繊維材料で形成された吸音材を収容することもできる。
【００１６】
調整体を動かす構造としては、空気室形成部材に所要間隔で形成されている複数の溝に着脱自在な構造の他、例えば空気室の長さ方向にスライドする構造等、各種公知手段を採用することができる。
発泡材料としては、例えばウレタンフォーム等であるが、高音域の音を吸音できるものであれば、特に限定するものではない。
また、繊維材料としては、例えばグラスウール、ロックウール等であるが、高音域の音を吸音できるものであれば、特に限定するものではない。
【００１７】
（作用）
本発明に係る吸音パネルの作用を説明する。
吸音パネルは、例えばコンサートホール、オーディオルーム、会議室等の壁面や天井面等に配置して使用される。
そして、吸音パネルの設置後に、吸音する音の周波数をチューニングする場合は、所要の調整体を動かして、入音口と調整体の間隔を調整し、空気室の長さ又は容積を調整することにより、空気室（又は気柱）の固有周波数（又は固有振動数）が、吸音する音の周波数に共鳴する周波数となるように調整する。
【００１８】
これにより、入音口から空気室に入った音のうち、吸音する特定周波数の音は、空気室内で共鳴を起こし、その音のエネルギーのほとんどが熱エネルギーに変化して空気室の外部へ出ないので、結果的に吸音パネルで反射せず、吸音されることになる。このようにして、吸音する音の周波数をチューニングすることができる。
【００１９】
入音口が、各空気室に対して正面板の上下端部側の二箇所に形成され、調整体は上側の入音口と下側の入音口の間の一箇所に取り付けられているものは、空気室が一つの調整体を挟んで二箇所にあることになり、調整体の位置を変えて調整することにより、二つの空気室の長さが同時に変わり、両方の空気室で吸音する音の周波数が変化する。
【００２０】
また、入音口が、各空気室に対して正面板の上下端部側の二箇所に形成され、調整体は上側の入音口と下側の入音口の間の二箇所に取り付けられているものは、入音口のないデッドスペースができる問題はあるが、入音口がある二つの空気室はそれぞれ独立して周波数の調整ができる。
【００２１】
取付部が、空気室形成部材において空気室に面する両面側に形成されている溝であり、当該両溝は遮断部で通気できないように遮断されているものは、隣合う空気室間で音の干渉が起こらないので、消音する機能性に支障が出ることを防止できる。
【００２２】
複数の空気室のうち、調整体を有さず吸音する音の周波数が固定されている空気室を有しているものは、吸音する音の周波数が固定されている空気室の固定周波数をあらかじめ使用場所に適した基本的な周波数に設定しておけば、この部分については調整に揺らぎがないので、チューニングがしやすい。
【発明の効果】
【００２３】
本発明は、複数の空気室と、当該空気室に通じる入音口を有しており、特定の周波数の音を吸音する吸音パネルにおいて、空気室に配置されている調整体を動かして、入音口と調整体の間隔を調整することにより、空気室の長さ又は容積を調整して、その固有周波数を吸音する音の周波数に共鳴する周波数となるように調整することができる。
これにより、吸音パネルを製造した後においても、吸音する音の周波数を必要に応じてチューニングすることができる吸音パネルを提供できる。
【図面の簡単な説明】
【００２４】
【図１】本発明に係る吸音パネルの第１実施の形態の構造を示す分解斜視図。
【図２】調整体の取り付け構造を示す説明図。
【図３】背面板を省略した吸音パネルの背面視説明図。
【図４】本発明に係る吸音パネルの第２実施の形態の構造を示す分解斜視図。
【図５】調整体の取り付け構造の他の例を示す説明図。
【発明を実施するための形態】
【００２５】
〔実施の形態〕
【００２６】
本発明を図面に示した実施の形態に基づき詳細に説明する。
図１乃至図３を参照して、吸音パネルの第１実施の形態を説明する。図１は、説明の便宜上、正面板を奥側に、背面板を手前側に表した背面側からみた分解斜視図である。
なお、吸音パネルＡ１は、使用時において後記する正面板２を室内側又は音源側へ向ける点以外は特に決まった方向性はないが、以下の構造の説明では、方向や位置関係を、便宜上、図３を基準とした上下、左右等の用語を用いて表現することがある。
【００２７】
吸音パネルＡ１は、外形が長方形状の芯材１と、芯材１の正面側に固定されている正面板２と、芯材１の背面側に着脱自在に取り付けられている背面板３を有している。
芯材１、正面板２及び背面板３は、本実施の形態においては木質部材で形成されているが、これに限定するものではなく、各種合成樹脂や金属等の他の材料で形成してもよいし、これら各材料を複合して形成することもできる。
【００２８】
芯材１は、上下方向に長い長方形状の外枠１０を有している。外枠１０は、左右側の左縦部材１０１、右縦部材１０２と、上下側の上横部材１０３、下横部材１０４で構成されている。左縦部材１０１、右縦部材１０２には、それぞれ上下端部寄り及び中間部の三箇所に、後記する背面板３の各通孔３０と連通する雌ネジを有するビス孔具１０５が埋め込まれている。
外枠１０の上側の上横部材１０３より下方には、上横部材１０３と所要の間隔で平行に中横部材１１が取り付けられている。
【００２９】
上横部材１０３と中横部材１１及び左縦部材１０１、右縦部材１０２で囲まれた区域には、所要数の空気室形成部材１２が縦横に組み合わされて取り付けられている。各空気室形成部材１２は、後記するように、芯材１に正面板２と背面板３を取り付けることで、図１、図３において左から順に、空気室１２０、１２１、１２２、１２３、１２４、１２５、１２６、１２７、１２８、１２９を形成するものである。なお、前記各空気室を囲む各空気室形成部材１３、正面板２、背面板３で四角筒形状の複数の共鳴管状のものが形成される。
【００３０】
また、中横部材１１と下側の下横部材１０４及び左縦部材１０１、右縦部材１０２で囲まれた区域には、複数の長尺の空気室形成部材１３が、中横部材１１と下横部材１０４間に渡すように、左右方向に所要の間隔で、左縦部材１０１、右縦部材１０２と平行に取り付けられている。本実施の形態では、空気室形成部材１３は十三本設けられているが、この数に限定されず、適宜設定することができる。
【００３１】
各空気室形成部材１３の背面側の縁部には、両側面側のそれぞれ三箇所又は四箇所に空気室形成部材１３の長手方向に所要の間隔をおいて、後記する調整体１５を係合する取付部である係合溝１４、１４ａが形成されている。各係合溝１４、１４ａは、直方体形状の空隙を形成するように所要の深さ及び幅で設けられ（図２参照）、一方の側面側の係合溝１４と、この係合溝１４と隣り合う他方の側面側の係合溝１４ａの間には、後記する背面板３を取り付けたときに両係合溝１４、１４ａ間で通気できないようにして、隣合う空気室間で音の干渉が起こらないようにする遮断部１４４が形成されている。
【００３２】
また、前記左縦部材１０１、右縦部材１０２の背面側の内側面側にも、係合溝１４ｂが前記係合溝１４、１４ａと同様の間隔で形成されている。左縦部材１０１、右縦部材１０２において、係合溝１４ｂが形成されているのは、左右両端部の各空気室形成部材１３の外側の側面に形成されている係合溝１４、１４ａに対応する部分である。
【００３３】
なお、各空気室形成部材１３における各係合溝１４、１４ａ及び左縦部材１０１、右縦部材１０２における各係合溝１４ｂの形成位置は次のとおりである。すなわち、中央部五本の各空気室形成部材１３の係合溝１４、１４ａは、空気室形成部材１３の上下方向の中間部から下方へ三箇所設けられ、その外側二本の空気室形成部材１３の係合溝１４、１４ａは、一段下がって下方へ四箇所設けられている。
【００３４】
更に、その外側一本の空気室形成部材１３の係合溝１４、１４ａは、更に一段下がって下方へ四箇所設けられ、その外側の空気室形成部材１３の係合溝１４、１４ａは、三箇所設けられている。また、左縦部材１０１、右縦部材１０２の係合溝１４ｂは、左縦部材１０１、右縦部材１０２の内隣の空気室形成部材１３の係合溝１４、１４ａと同じ高さの三箇所に設けられている。
【００３５】
互いに隣り合う空気室形成部材１３の係合溝１４と係合溝１４ａの間、左縦部材１０１の係合溝１４ｂと空気室形成部材１３の係合溝１４の間及び右縦部材１０２の係合溝１４ａと空気室形成部材１３の係合溝１４ｂの間には、それぞれ一枚ずつ調整体１５が着脱自在に取り付けられる（図２には、隣り合う空気室形成部材１３の係合溝１４と係合溝１４ａの間に取り付ける場合を示す）。
【００３６】
調整体１５は、ほぼ長方形の平板状に形成されており、長手方向（取り付け時において芯材１の厚み方向）の一端部には、両側へ張り出した係合部１５０、１５１を有している。調整体１５の長さは、空気室形成部材１３の前後方向の幅（芯材１の厚み方向）と同じ長さに形成されている。
【００３７】
また、係合部１５０、１５１の長さは、係合溝１４、１４ａ、１４ｂの深さと同じ長さに形成されており、係合部１５０、１５１の幅は、係合溝１４、１４ａ、１４ｂの幅と同じ幅に形成されている。そして、係合部１５０、１５１を各係合溝１４、１４ａ、１４ｂに差し込んで調整体１５を取り付けたときに、調整体１５の長手方向の両端面は各空気室形成部材１３又は左縦部材１０１、右縦部材１０２の前後方向の両端面と面一となる。
【００３８】
芯材１の正面側には正面板２が取り付けられ、背面側には背面板３が取り付けられる。本実施の形態では、正面板２は接着剤等で固定され、調整体１５の位置調整の際に取り外す必要がある背面板３は、取付ビス３２によって着脱自在に取り付けられている。
【００３９】
なお、背面板３の取り付け構造は、取付ビス３２によるものに限定されず、例えば図示はしていないが、先端に径大部があるピンと、径が異なる穴をつないだ長孔を有する係合具からなり、ピンの径大部を係合具の径大穴に入れた後、径小穴と係合させる係合手段を使用した構造としてもよい。また、本実施の形態では背面板３を一枚構造としたが、例えば調整体１５による周波数の調整に関係のない部分を固定式にする等、固定式の板と着脱式の板からなる複数の背面板で構成してもよい。
【００４０】
正面板２は、芯材１と正面視で同じ大きさの長方形状である。正面板２の上端寄りには、上下方向に複数近接して並設された表裏面を貫通したスリットからなる入音口２０が、左右方向の両端部の一部を残して形成されている。入音口２０のやや下方には、入音口２０と平行に同様の入音口２１が形成されている。また、正面板２の下端寄りには、入音口２０、２１と平行に同様の入音口２２が形成されている。
【００４１】
入音口２０は、正面板２を芯材１に取り付けたときに、前記各空気室形成部材１２の上部側、つまり前記空気室１２０、１２１、１２２、１２３、１２４、１２５、１２６、１２７、１２８、１２９の上部側に位置するように形成してある。
【００４２】
同様に、入音口２１は、前記各空気室形成部材１３の上部側、つまり後記する空気室１３０、１３１、１３２、１３３、１３４、１３５、１３６、１３７、１３８、１３９、１４０、１４１、１４２、１４３の上部側に位置するように形成してある。
【００４３】
同様に、入音口２２は、前記各空気室形成部材１３の下部側、後記する空気室１３０ａ、１３１ａ、１３２ａ、１３３ａ、１３４ａ、１３５ａ、１３６ａ、１３７ａ、１３８ａ、１３９ａ、１４０ａ、１４１ａ、１４２ａ、１４３ａの下部側に位置するように形成してある。
【００４４】
また、背面板３は、芯材１と正面視で同じ大きさの長方形状である。背面板３の左右両側には、それぞれ上下端部寄り及び中間部の三箇所に通孔３０が形成されている。全部で六箇所に設けられている各通孔３０は、背面板３を芯材１に合わせたときに、芯材１の各ビス孔具１０５と合うようになっている。
【００４５】
更に、背面板３の外面側において前記上部側の両通孔３０の近傍には、係合金具３１が取り付けられている。係合金具３１は、径が異なる穴をつないだ長孔（符号省略）を有するもので、壁面側に立てたピンの径大部と、長孔の径小穴側を係合させて壁面に取り付けるためのものである。なお、吸音パネルＡ１の壁面等に対する取り付け構造については、この構造に限定するものではなく、公知各手段を採用することができる。
【００４６】
そして、各調整体１５を所要の係合溝１４、１４ａ、１４ｂに取り付け、更に、芯材１に正面板２と背面板３を取り付けることで、正面板２の内面は芯材１の正面側の面にほぼ密着し、背面板３の内面は芯材１の背面側の面にほぼ密着する。
【００４７】
これにより、吸音パネルＡ１の上側には、各空気室形成部材１２、左縦部材１０１、右縦部材１０２、上横部材１０３、中横部材１１、正面板２及び背面板３によって、図３において左から順に、空気室１２０、１２１、１２２、１２３、１２４、１２５、１２６、１２７、１２８、１２９が形成されている。なお、図３では背面板３を省略しているが、空気室１２０〜１２９の符号は、便宜上、図３において付している（後記する空気室１３０〜１４３、空気室１３０ａ〜１４３ａも同様）。また、空気室１２０〜１２９の上部には、前記正面板２の入音口２０が開口している。
【００４８】
吸音パネルＡ１の下側には、各空気室形成部材１３、左縦部材１０１、右縦部材１０２、中横部材１１、正面板２、背面板３及び調整体１５によって、図３において左から順に、空気室１３０、１３１、１３２、１３３、１３４、１３５、１３６、１３７、１３８、１３９、１４０、１４１、１４２、１４３が形成されている。
【００４９】
また、調整体１５より下方側には、各空気室形成部材１３、左縦部材１０１、右縦部材１０２、下横部材１０４、正面板２、背面板３及び調整体１５によって、空気室１３０ａ、１３１ａ、１３２ａ、１３３ａ、１３４ａ、１３５ａ、１３６ａ、１３７ａ、１３８ａ、１３９ａ、１４０ａ、１４１ａ、１４２ａ、１４３ａが形成されている。
【００５０】
前記空気室１３０〜１４３の上部には、前記正面板２の入音口２１が開口し、空気室１３０ａ〜１４３ａの下部には、正面板２の入音口２２が開口している。また、前記空気室１２０〜１２９、空気室１３０〜１４３及び空気室１３０ａ〜１４３ａは、互いに独立している。
【００５１】
本実施の形態においては、前記調整体１５を図１、図３に示す位置に取り付けることにより、前記各空気室で消音できる音の周波数は、空気室１２０で350Hz、１２１で500Hz、１２４で300Hz、１２５で300Hz、１２８で500Hz、１２９で350Hzに設定されている。
【００５２】
また、空気室１３０で125Hz、１３１で125Hz、１３２で130Hz、１３３で140Hz、１３４で160Hz、１３５で200Hz、１３６で240Hz、１３７で240Hz、１３８で200Hz、１３９で160Hz、１４０で140Hz、１４１で130Hz、１４２で125Hz、１４３で125Hzに設定されている。更に、空気室１３４ａで500Hz、１３５ａで300Hz、１３６ａで240Hz、１３７ａで240Hz、１３８ａで300Hz、１３９ａで500Hzに設定されている。
【００５３】
前記各空気室で消音できる音の周波数は、前記周波数に限定されるものではなく、各空気室の太さや長さ又は容積を変えることにより適宜設定することができる。また、調整体１５を他の係合溝１４、１４ａ、１４ｂに付け替えて位置を変えることにより、空気室の長さを変えて消音できる音の周波数を調整することができる。
【００５４】
なお、所要の空気室（図３において右端部の空気室１４３）にウレタンフォーム等の発泡材料で形成した適宜大きさの吸音材１６を入音口２１にかかるように詰めることで、例えば1KHz以上の前記設定で吸音できない比較的高い周波数の音を吸音することが可能になる。吸音材１６は、グラスウール等の繊維材料で代替することもできる。
【００５５】
（作用）
吸音パネルＡ１は、例えばコンサートホール、オーディオルーム、会議室等の壁面や天井面等に配置して使用される。壁面等への取り付けは、係合金具３１を壁面に立てたピンに係合して行い、取り外しも簡単にできる。
【００５６】
吸音パネルＡ１によれば、前記した各周波数の音を各空気室によって吸音することができるので、これにより、より良い音響効果を得ることができる。
そして、吸音パネルＡ１の設置後に、吸音する音の周波数をチューニングする場合は、背面板３を取り外し、所要の調整体１５を動かして、入音口２１、２２と調整体１５の間隔を調整することにより、各空気室の固有振動数（固有周波数）が、吸音する音の周波数に共鳴する周波数となるように調整する。
【００５７】
その後、背面板３を芯材１に再度取り付ける。これにより、入音口２１、２２から各空気室に入った音のうち、吸音する特定周波数の音は、各空気室内で共鳴を起こし、その音のエネルギーのほとんどが熱エネルギーに変化して各空気室の外部へは出ないので、結果的に吸音パネルＡ１で反射せず、吸音されることになる。
吸音パネルＡ１は、製造後又は設置後においても、このようにして、吸音する音の周波数をチューニングすることができる。
【００５８】
なお、吸音パネルＡ１の各空気室のうち、上部側の空気室１２０〜１２９は、調整体１５を有さず吸音する音の周波数が固定されている。これによれば、吸音する音の周波数が固定されている空気室１２０〜１２９の固定周波数を、あらかじめ使用場所に適した基本的な周波数に設定しておけば、この部分は揺らぎがないので、チューニングがしやすい利点がある。
【００５９】
次に、図４を参照して、吸音パネルの第２実施の形態を説明する。
なお、図４において、前記吸音パネルＡ１と同等箇所には同じ符号を付して示し、構造について重複する説明は省略する。
【００６０】
吸音パネルＡ２では、空気室１３６を構成している調整体１５の下方の係合溝１４、１４ａで二段下がった位置に調整体１５ａが取り付けられている。これにより、空気室１３６の下方には、前記吸音パネルＡ１の空気室１３６ａより空気室が短く吸音する音の周波数が高い空気室１３６ｂが形成されている。
【００６１】
また、空気室１４０ａを構成している調整体１５の上方の係合溝１４、１４ａで二段上がった位置に調整体１５ｂが取り付けられている。これにより、空気室１４０ａの上方には、前記吸音パネルＡ１の空気室１４０より空気室が短く吸音する音の周波数が高い空気室１４０ｂが形成されている。
【００６２】
なお、前記空気室１３６と空気室１３６ｂの間、及び空気室１４０ａと空気室１４０ｂの間には、それぞれ調整体１５、１５ａ、調整体１５、１５ｂで通気が遮断されたデッドスペースが形成されるが、調整体１５が空気室の一箇所に取り付けられている前記吸音パネルＡ１と相違して、空気室１３６と空気室１３６ｂ及び空気室１４０ａと空気室１４０ｂは、それぞれ互いに独立して吸音する音の周波数を一定の範囲内で調整できる。
【００６３】
図５を参照して、調整体の取り付け構造の他の例を説明する。
本例では、各空気室形成部材１３には、前記係合溝１４、１４ａ、１４ｂと同じ位置に係合溝１４ｃが形成されている。係合溝１４ｃは、空気室形成部材１３の厚み方向の全長にわたり所要の深さで形成されており、溝の上下幅は例えば１ｍｍ程度に狭小に形成されている。
【００６４】
各係合溝１４ｃに取り付けられる調整体１５ｃは、金属製で前記木製の調整体１５を更に薄くした形状に形成されている。調整体１５ｃの係合部１５０ｃ、１５１ｃの幅は、両端が係合溝１４ｃにおいて空気室形成部材１３の厚み方向の中間部に位置するように設定されている。これにより、同じ空気室形成部材１３の係合溝１４ｃに調整体１５ｃを並べて取り付けることができる。
【００６５】
なお、調整体１５ｃを取り付けていない各係合溝１４ｃは、隣合う各空気室をつなぐことになるが、各係合溝１４ｃは、前記したようにごく狭小であるので、各空気室が干渉を起こして、消音する機能性に支障が出ることはない。また、他の作用については、前記調整体１５の取り付け構造と同様であるので、説明は省略する。
【００６６】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形が可能であるということは言うまでもない。
【符号の説明】
【００６７】
Ａ１  吸音パネル
１  芯材
１０  外枠
１０１  左縦部材
１０２  右縦部材
１０３  上横部材
１０４  下横部材
１０５  ビス孔具
１１  中横部材
１２  空気室形成部材１２
１２０〜１２９  空気室
１３  空気室形成部材
１３０〜１４３  空気室
１３０ａ〜１４３ａ  空気室
１４、１４ａ  係合溝
１４４  遮断部
１４ｂ  係合溝
１４ｃ  係合溝
１５  調整体
１５０、１５１  係合部
１５ａ、１５ｂ  調整体
１６  吸音材
２  正面板
２０  入音口
２１  入音口
２２  入音口
３  背面板
３０  通孔
３１  係合金具
３２  取付ビス
Ａ２  吸音パネル
１３６ｂ  空気室
１４０ｂ  空気室
１５ｃ  調整体
１５０ｃ、１５１ｃ  係合部
【図１】
2014122515.tif 000003
【図２】
2014122515.tif 000004
【図３】
2014122515.tif 000005
【図４】
2014122515.tif 000006
【図５】
2014122515.tif 000007